(57)【要約】【課題】端部を１８０度折り返した際にも折り返した後の端部の頂点の高さが一定となる成形体の製造方法及び製造装置を提供する。【解決手段】本発明の成形体の製造方法は、ワーク２の端部２ａを加熱手段３により加熱する加熱工程と、第１ブロック５が押圧することによりワークの端部を略垂直に折り曲げる１次折曲工程と、第２ブロック６が押圧することにより略垂直に折り曲げられた部位２ｂを更に折り曲げて折り返す２次折曲工程と、を備えた成形体の製造方法であって、２次折曲工程において、略垂直に折り曲げられた部位の角部２ｃに規制部材７を押し当てることにより、更に折り曲げる際に規制部材７が折り曲げられた部位２ｂの角部２ｃを押圧して角部２ｃの高さを規制することを特徴とする。【選択図】図１
2010052400.tif 000002
【特許請求の範囲】
【請求項１】
ワークの端部を加熱手段により加熱する加熱工程と、
第１ブロックが押圧することにより前記ワークの端部を略垂直に折り曲げる１次折曲工程と、
第２ブロックが押圧することにより前記略垂直に折り曲げられた部位を更に折り曲げて折り返す２次折曲工程と、
を備えた成形体の製造方法であって、
前記２次折曲工程において、前記略垂直に折り曲げられた部位の角部に規制部材を押し当てることにより、前記更に折り曲げる際に前記規制部材が前記折り曲げられた部位の角部を押圧して該角部の高さを規制することを特徴とする成形体の製造方法。
【請求項２】
前記第１ブロック及び前記第２ブロックは同一部材である請求項１に記載の成形体の製造方法。
【請求項３】
前記第２ブロック及び前記規制部材は互いに着脱可能であり、前記加熱工程及び前記１次折曲工程においてはこれらが一体化しているとともに、前記第２折曲工程においては前記規制部材が前記第２ブロックから分離して別体化する請求項１又は２に記載の成形体の製造方法。
【請求項４】
前記加熱手段は前記ワークに直接接触して加熱する部材である請求項１乃至３のうちのいずれか１項に記載の成形体の製造方法。
【請求項５】
前記ワークの端部の前記加熱手段が接触している面とは反対側の面に接触して前記端部を支持する支持部材を備える請求項４に記載の成形体の製造方法。
【請求項６】
前記支持部材は前記第１ブロックである請求項５に記載の成形体の製造方法。
【請求項７】
ワークの端部を加熱する加熱手段と、
前記端部を押圧により略垂直に折り曲げる第１ブロックと、
前記略垂直に折り曲げられた部位を押圧により更に折り曲げて折り返す第２ブロックと、
前記略垂直に折り曲げられた部位を更に折り曲げて折り返す際に前記略垂直に折り曲げられた部位の角部を押圧して該角部の高さを規制する規制部材と、
を備えることを特徴とする成形体の製造装置。
【請求項８】
前記第１ブロック及び前記第２ブロックは同一部材である請求項７に記載の成形体の製造装置。
【請求項９】
前記加熱手段は前記ワークに直接接触して加熱する部材である請求項７又は８に記載の成形体の製造装置。
【請求項１０】
前記ワークの端部の前記加熱手段が接触している面とは反対側の面に接触して前記端部を支持する支持部材を備える請求項９に記載の成形体の製造装置。
【請求項１１】
前記支持部材は前記第１ブロックである請求項１０に記載の成形体の製造装置。
【発明の詳細な説明】
【技術分野】
【０００１】
本発明は、自動車等の車両の天井パネルなどの内装材等の成形体の製造方法及びそれに用いる製造装置に関する。更に詳しくは、本発明は、成形体の端部を折り曲げ加工するための成形体の製造方法及び製造装置に関する。
【背景技術】
【０００２】
従来、自動車等の車両ではサンルーフを備える仕様があり、このような車両の天井パネルでは中央にサンルーフを設けるための開口部が形成されている。この天井パネルの開口部の縁部の下方側は車室内に露出するため、意匠性の観点から折り曲げ加工などの処理を施すことが好ましい。この端部の折り曲げ加工の方法としては、例えば、図３のように、ワーク（天井パネル）１００をアルミモールド１０１に配置し、押さえ部材１０２により挟持して固定する［図３（Ａ）参照］方法が挙げられる。そして、ワーク１００の端部に遮熱板１０３を当接させ、折り曲げ部位に、例えば、５５０℃程度の熱風１０４を吹き付ける方法が知られている（例えば、特許文献１参照。）。これにより、ワーク１００の裏面の通気止めフィルム１０５を溶融させ、同時にポリプロピレ製のワーク１００が軟化するまで加熱される。その後、軟化したワーク１００に加工ブロック１０６を押し当てて垂直に折り曲げる（１次折り曲げ）［図３（Ｂ）参照］。その後、空冷してワーク１００を硬化させることにより、この垂直に折り曲げられた状態で加工を終了してもよい。また、加工ブロック１０６により端部を更に折り曲げて約１８０度に折り返すようにしてもよい（２次折り曲げ）［図３（Ｃ）参照］。この場合、熱風１０４により溶融された通気止めフィルム１０５により、折り返されたワーク１００が接着されて固定される（例えば、特許文献２参照。）。
【０００３】
【特許文献１】特開２００７−１５６５６号公報
【特許文献２】特開２００２−８６６００号公報
【発明の開示】
【発明が解決しようとする課題】
【０００４】
しかし、前記のワークの折り曲げ方法では、端部を約１８０度に折り返す２次折り曲げ加工の際に、ワーク１００の端部の折り曲げ部位を特に規制せずそのまま折り返しているため、折り返した後の頂点の高さにばらつきが生じてしまい開口部の端部の見栄えが低下する。そのため、加工後に頂点の高さを調整し、平坦化する工程が必要となり、生産コストが上昇してしまうという問題がある。
【０００５】
本発明は、前記の従来の状況に鑑みてなされたものであり、端部を約１８０度に折り返した場合でも、折り返した後の端部の頂点の高さが一定となる成形体の製造方法及びそれに用いる製造装置を提供することを目的とする。
【課題を解決するための手段】
【０００６】
本発明は以下のとおりである。
１．ワークの端部を加熱手段により加熱する加熱工程と、
第１ブロックが押圧することにより前記ワークの端部を略垂直に折り曲げる１次折曲工程と、
第２ブロックが押圧することにより前記略垂直に折り曲げられた部位を更に折り曲げて折り返す２次折曲工程と、
を備えた成形体の製造方法であって、
前記２次折曲工程において、前記略垂直に折り曲げられた部位の角部に規制部材を押し当てることにより、前記更に折り曲げる際に前記規制部材が前記折り曲げられた部位の角部を押圧して該角部の高さを規制することを特徴とする成形体の製造方法。
２．前記第１ブロック及び前記第２ブロックは同一部材である前記１．に記載の成形体の製造方法。
３．前記第２ブロック及び前記規制部材は互いに着脱可能であり、前記加熱工程及び前記１次折曲工程においてはこれらが一体化しているとともに、前記第２折曲工程においては前記規制部材が前記第２ブロックから分離して別体化する前記１．又は２．に記載の成形体の製造方法。
４．前記加熱手段は前記ワークに直接接触して加熱する部材である前記１．乃至３．のうちのいずれか１項に記載の成形体の製造方法。
５．前記ワークの端部の前記加熱手段が接触している面とは反対側の面に接触して前記端部を支持する支持部材を備える前記４．に記載の成形体の製造方法。
６．前記支持部材は前記第１ブロックである前記５．に記載の成形体の製造方法。
７．ワークの端部を加熱する加熱手段と、
前記端部を押圧により略垂直に折り曲げる第１ブロックと、
前記略垂直に折り曲げられた部位を押圧により更に折り曲げて折り返す第２ブロックと、
前記略垂直に折り曲げられた部位を更に折り曲げて折り返す際に前記略垂直に折り曲げられた部位の角部を押圧して該角部の高さを規制する規制部材と、
を備えることを特徴とする成形体の製造装置。
８．前記第１ブロック及び前記第２ブロックは同一部材である前記７．に記載の成形体の製造装置。
９．前記加熱手段は前記ワークに直接接触して加熱する部材である前記７．又は８．に記載の成形体の製造装置。
１０．前記ワークの端部の前記加熱手段が接触している面とは反対側の面に接触して前記端部を支持する支持部材を備える前記９．に記載の成形体の製造装置。
１１．前記支持部材は前記第１ブロックである前記１０．に記載の成形体の製造装置。
【発明の効果】
【０００７】
本発明の成形体の製造方法及び製造装置によれば、ワークの端部の略垂直に折り曲げられた部位を更に折り曲げて約１８０度に折り返す際に、略垂直に折り曲げられた部位の角部を押圧して角部の高さを規制部材により規制しているため、折り返された後の端部の高さのばらつきが抑えられ、端部の高さを一定にすることができる。これにより、端部の見栄えを向上させることができるとともに、加工後の高さ調整の必要性を大幅に低減させることができる。
また、第１ブロック及び第２ブロックが同一部材である場合は、部品点数の増加を抑制して生産コストを抑えることができる。
更に、第２ブロック及び規制部材が互いに着脱可能であり、加熱工程及び１次折曲工程においてはこれらが一体化しているとともに、２次折曲工程においては規制部材が第２ブロックから分離して別体化する場合は、加熱工程及び１次折曲工程において第２ブロック及び規制部材の位置制御を別個に行う必要がなく、第２ブロック及び規制部材を容易に制御することができる。
ここで、従来のように熱風を吹き付けて加熱する場合は、ワークに、例えば、遮熱板の側端部を当接させて、加熱すべきでない部位が加熱されることを防止しているが、ワークと遮熱板との隙間から熱風が漏れたり、又はワークの内部から熱風の漏れが発生することがあり、加熱範囲がばらついてしまうことがある。これに対し、本発明において加熱手段がワークに直接接触して加熱する部材である場合は、直接接触せずに熱風を吹き付けるときと比べて加熱範囲のばらつきが少なく、必要な範囲のみ加熱することができ、加熱むらを抑え、加熱効率を向上させることができる。
また、従来のように熱風を吹き付ける方法では、加熱条件を少し高温にしただけで反対側の意匠面まで過剰に加熱され、表皮焦げの不良が発生してしまうことがある。これに対し、加熱手段を直接接触させて加熱する場合は、熱伝導率が高くなるため、ワークの端部の軟化に必要な最小限の加熱で十分である。従って、従来よりも加熱手段の温度を低く設定することができ、熱変形及び焦げ等の問題を生じることがなく、且つ省エネルギー化を図ることができる。しかも、ワークに水分が含まれているときは、従来の加熱方法では水分量のばらつきにより温度差が生じてしまうため、例えば、５５０℃程度の高温の熱風で加熱する必要があったが、この場合、意匠面に焦げが発生することがあるため、加熱前に養生時間を必要としていたが、加熱手段を直接接触させて加熱することにより、意匠面が焦げるほどの高温で加熱する必要がなく、水分を含有するワークであっても養生時間を必要とすることなく、加熱し、加工することができる。
更に、ワークの端部を支持する支持部材を備える場合は、加熱により端部が軟化しても、ワークが加熱手段が接触している面と反対側に倒れることを防止することができる。これにより、従来のように軟化した端部が倒れることによる生産性の低下を抑えることができる。また、加熱手段をワークに接触させ、押圧することができるため、接触面積を増加させることができ、熱伝導率をより高めることができる。
また、支持部材が第１ブロックである場合は、この種の折り曲げ部材を有する従来の製造装置に比べて部品点数の増加を抑えることができ、製造装置のコストの上昇を極力抑えることができる。
【発明を実施するための最良の形態】
【０００８】
本実施形態に係る成形体の製造方法は、加熱工程と、１次折曲工程と、２次折曲工程と、を備える。
前記「ワーク」は、熱可塑性のパネル状のものである限り、その構造、大きさ、形状、材質、数量等は特に限定されない。ワーク（加工により成形体となる成形材）としては、例えば、ポリプロピレン等の合成樹脂製シートを有する積層材などが挙げられる。また、通常、成形体の表面は意匠面となり、裏面には裏面通気止めフィルム等を積層させた形態とすることができる。
【０００９】
前記「加熱工程」は、ワークの端部を加熱手段により加熱することができる工程である限り、その具体的な方法は特に限定されない。また、前記「加熱手段」は、ワークの端部を加熱することができる手段である限り、その構造、大きさ、形状、材質、数量などは特に限定されない。この加熱手段としては、例えば、ヒータブロックのようにワークに直接接触して加熱する加熱部材が挙げられる。更に、加熱手段は、例えば、熱風の吹き付け等であってもよい。また、加熱手段とともにワークの端部を挟持して支持する支持部材を備えることが好ましい。
【００１０】
前記「１次折曲工程」は、第１ブロックが押圧することによりワークの端部を略垂直に折り曲げることができる工程である限り、その具体的な方法は特に限定されない。また、前記「第１ブロック」は、ワークの端部を略垂直に折り曲げることができるブロックである限り、その構造、大きさ、形状、材質、数量などは特に限定されない。この第１ブロックは、例えば、支持部材と兼用することもできる。
【００１１】
前記「２次折曲工程」は、第２ブロックが押圧することにより１次折曲工程により略垂直に折り曲げられた部位を更に折り曲げて折り返すことができる工程である限り、その具体的な方法は特に限定されない。また、前記「第２ブロック」は、１次折曲工程により略垂直に折り曲げられた部位を更に折り曲げて折り返すことができるブロックである限り、その構造、大きさ、形状、材質、数量などは特に限定されない。更に、第１ブロック及び第２ブロックは、それぞれ別体の部材であってもよく、一体となった部材であってもよいが、一体部材であることが好ましい。
【００１２】
２次折曲工程では、略垂直に折り曲げられた部位の角部に規制部材が押し当てられる。この場合、２次折曲工程において更に折り曲げ、折り返す際に、規制部材が折り曲げられた部位の角部を押圧し、角部の高さが規制され、角部の高さが一定になる。前記「規制部材」は、折り曲げられた部位の角部を押圧して角部の高さを規制することができる部材である限り、その構造、大きさ、形状、材質、数量などは特に限定されない。
【００１３】
また、第２ブロック及び規制部材は互いに着脱可能とすることができる。この場合、加熱工程及び１次折曲工程においては、これらが一体化しており、一体に移動させることができ、且つ２次折曲工程においては、規制部材が第２ブロックから分離して別体化し、それぞれ個別に移動させることができる。
【実施例】
【００１４】
以下、図面を参照しながら実施例により本発明を具体的に説明する。
本実施例では、成形材、即ち、ワークが加工されてなる成形体を自動車の天井パネルに適用した場合について説明する。そして、ワークの中央部にはサンルーフ用の開口部が形成されており、この開口部の周縁を折り曲げ加工する場合について説明する。
【００１５】
（１）実施例の構成
本実施例に係る成形体の製造装置１は、図１のように、ワーク２の端部２ａを加熱する加熱手段３と、ワーク２の端部２ａを支持する支持部材４と、ワーク２の端部２ａを押圧して略垂直に折り曲げるための第１ブロック５と、略垂直に折り曲げられた部位２ｂを押圧により更に折り曲げて折り返す第２ブロック６と、略垂直に折り曲げられた部位２ｂを更に折り曲げて折り返す際に、略垂直に折り曲げられた部位２ｂの角部２ｃを押圧して角部２ｃの高さを規制する規制部材７と、を備える。また、ワーク２を支持するアルミモールド９と、このアルミモールド９との間でワーク２を挟持して固定する押さえ部材１０と、が配設されている。更に、ワーク２を折り曲げる部位に当接させる曲支板１１が配設されている。
【００１６】
ワーク２は、ポリプロピレン製のシートを主構成部材として備える。また、このワーク２の加熱される面とは反対側の表面は意匠面１２（表皮面）となり、裏面には通気止めフィルム１３が配設されている。
【００１７】
加熱手段３は、ワーク２の端部２ａを裏面側から加熱する手段であり、この加熱手段３としては、ワーク２に直接接触して加熱する部材であるヒータブロックが採用されている。加熱温度は、例えば、２２０℃程度とすることができる。この加熱手段３により、支持部材４との間でワーク２の端部２ａを挟持し、支持した状態で端部２ａを加熱することができる［図１（Ｃ）参照］。また、加熱手段３は複数の部位に分割されているとともに、各々の部位毎に個別に温度制御可能とされている。本実施例では、図２のように、加熱手段３をワーク２の開口部の全周に渡って１０個の部位に分割している。そして、開口部の曲線部などのワーク２を折り曲げ難い部位では、設定温度を少し高め（例えば、２３０℃程度）に設定している。同様に、曲支板１１は６個に分割され、支持部材４及び規制部材７も６個に分割されている。尚、図１は、図２におけるＩ−Ｉ線による断面図である。
【００１８】
支持部材４は、支持するのみで加熱機能は有していない部材である。また、支持部材４と、第１ブロック５と、第２ブロック６と、は同一の部材である。そして、支持部材４は加熱手段３とともにワーク２を挟持して加熱した後、移動し、第１ブロック５として、ワーク２の端部２ａを押圧することにより、端部２ａを略垂直に折り曲げ［図１（Ｈ）参照］、更に第２ブロック６として略垂直に折り曲げられた部位２ｂを押圧し、更に折り曲げて折り返すことができる［図１（Ｊ）参照］。
【００１９】
また、第２ブロック６及び規制部材７は互いに着脱可能である。そして、加熱時［図１（Ｃ）参照］と、第１ブロック５による折り曲げ時［図１（Ｈ）参照］においては、第２ブロック６及び規制部材７が一体化しており、第２ブロック６による折り返し時［図１（Ｊ）参照］においては、規制部材７が第２ブロック６から分離して別体化するようになっている。
【００２０】
ここで、本実施例では、ワーク２の端部２ａが鉛直方向に対して少し傾斜している。そのため、第２ブロック６のワーク押圧面６ａもワーク２の端部２ａと同様に少し傾斜して形成されている。更に、規制部材７は第２ブロック６と一体化しているときは、ワーク押圧面６ａに対向している。そのため、規制部材７の第２ブロック６に対向する面７ａは、ワーク押圧面６ａに平行になるように傾斜している。即ち、規制部材７の断面形状は略台形となっている。
【００２１】
尚、本実施例に係る成形体の製造方法では、ワーク２の端部２ａを加熱手段３により加熱する加熱工程と、第１ブロック５が押圧することによりワーク２の端部２ａを略垂直に折り曲げる１次折曲工程と、第２ブロック６が押圧することにより略垂直に折り曲げられた部位２ｂを更に折り曲げて折り返す２次折曲工程と、を備える。
【００２２】
（２）実施例の作用
前記の実施例による成形体の製造装置１により成形体を製造する手順について図１に基づいて説明する。
アルミモールド９にワーク２を配置させ、押さえ部材１０により押さえて固定する［図１（Ａ）参照］。このとき、支持部材４はワーク２の端部２ａを意匠面１２側から支持するように位置している。また、支持部材４と規制部材７とは一体化している。そして、加熱手段３が下降し、ワーク２の端部２ａに接近して対向する［図１（Ｂ）参照］。更に、加熱手段３がワーク２側に前進し、支持部材４との間でワーク２の端部２ａを挟持し、加圧して加熱する［図１（Ｃ）参照］（加熱工程）。この加熱は、ワーク２の通気止めフィルム１３を溶融させることなく、且つポリプロピレン製シートを軟化させることができる加熱とする。そして、所定時間が経過し、ワーク２の端部２ａが軟化した後、加熱手段３が後退し、ワーク２の端部２ａから離間する［図１（Ｄ）参照］。次いで、加熱手段３が上昇し、退避する［図１（Ｅ）参照］。
【００２３】
その後、曲支板１１が前進し、ワーク２の端部２ａの折り曲げ部位に当接し［図１（Ｆ）参照］、次いで、支持部材４が規制部材７とともに上昇し、支持部材４の下端部が曲支板１１より僅かに高くなった位置で停止する［図１（Ｇ）参照］。更に、支持部材４がワーク２側に前進し、第１ブロック５としてワーク２の端部２ａを略直角に折り曲げる［図１（Ｈ）参照］（１次折曲工程）。このとき、規制部材７も支持部材４とともに前進し、ワーク２の端部２ａの略垂直に折り曲げられた部位２ｂの角部２ｃを押圧する。ここまでで折り曲げ加工を終了する場合は、ワーク２と第１ブロック５を冷却ブローにより冷却し、ワーク２を硬化させて形状を保持させ、その後、ワーク２をアルミモールド９から取り出す。
【００２４】
一方、本実施例のように、ワーク２の端部２ａを約１８０度まで折り返す場合は、冷却することなく、曲支板１１をワーク２から後退させる［図１（Ｉ）参照］。そして、支持部材４が下降して第２ブロック６としてワーク２の端部２ａの略垂直に折り曲げられた部位２ｂを約１８０度に折り返す［図１（Ｊ）参照］（２次折曲工程）。この折り返しは第２ブロック６のワーク押圧面６ａにより実施する。このとき、規制部材７は第２ブロック６から分離して、略垂直に折り曲げられた部位２ｂの角部２ｃを押圧し、角部２ｃの高さを規制する。そして、この状態でワーク２と第２ブロック６を冷却ブローにより冷却し、ワーク２を硬化させて形状を保持させ、その後、ワーク２をアルミモールド９から取り出す。
【００２５】
（３）実施例の効果
本実施例によれば、支持部材４によりワーク２の端部２ａを支持した状態で加熱手段３により端部２ａを加熱するため、加熱により端部２ａが軟化して倒れることを防止することができる。これにより、従来のように軟化した端部２ａが倒れることによる生産性の低下を抑えることができる。また、支持部材４は端部２ａを折り曲げる第１ブロック５及び第２ブロック６を兼用しているため、部品点数の増加を抑えることができ、生産コストを低減させることができる。
【００２６】
また、支持部材４が支持機能のみを有し、加熱機能を有していないため、加熱によるワーク２の意匠面の損傷を防止することができる。
【００２７】
更に、加熱手段３がワーク２に直接接触して加熱する部材であるため、直接接触せずに熱風を吹き付けるような場合に比べて加熱範囲のばらつきが少なく、必要な範囲のみ加熱することができ、加熱むらを抑え、加熱効率を向上させることができる。また、加熱手段３がワーク２に直接接触することにより熱伝導率が高くなるため、ワーク２の端部２ａの軟化に必要な最小限の加熱でよく、且つ支持部材４があるため、加熱手段３をワーク２に対して押圧することができ、接触面積を増加させて熱伝導率を更に高めることができる。その結果、従来よりも加熱手段３の温度を低く設定することができ、熱変形及び焦げ等の問題を生じることがないとともに、省エネルギー化を図ることができる。
【００２８】
また、加熱手段３が複数の部位に分割されているとともに、各々の部位毎に個別に温度制御可能であるため、端部２ａを折り曲げ難い部位については他よりも高温に設定することにより容易に折り曲げることができる。更に、規制部材７を有しているため、第１ブロック５による折り曲げ時、及び第２ブロック６による折り返し時のいずれにおいても、折り返された後の端部２ａの高さのばらつきを抑え、高さを一定にすることができる。これにより、端部２ａの見栄えを向上させることができ、且つ加工後の高さ調整の必要性が低く、調整するにしても回数を大幅に低減させることができる。
【００２９】
更に、第２ブロック６及び規制部材７が互いに着脱可能であり、加熱工程及び１次折曲工程においてはこれらが一体化しているため、加熱工程及び１次折曲工程においては第２ブロック６及び規制部材７の位置制御を別個にする必要がなく、且つ容易に制御することができる。また、規制部材７の第２ブロック６に対向する面７ａが傾斜しているため、仮に第２ブロック６と規制部材７の位置関係に狂いが生じた場合でも、両者の干渉を抑えることができる。
【００３０】
尚、本発明においては、前記の実施例に限られず、目的、用途に応じて本発明の範囲内で種々変更した実施例とすることができる。即ち、前記の実施例では、支持部材４を有しているが、これに限定されず、支持部材４を有していなくてもよい。また、ワーク２を支持する構造として、アルミモールド９と、押さえ部材１０と、曲支板１１と、を使用しているが、これに限定されず、他の既知の構成、又は新規の構成であってもよい。
【００３１】
更に、前記の実施例では、ワーク２としてポリプロピレン製シートを有する積層体を用いたが、これに限定されず、ポリエチレン等の合成樹脂製シートを有する積層体でもよく、その他、天然繊維等を構成部材とするワーク２であってもよい。そして、前記の実施例では、成形品は自動車の天井パネルであったが、これに限定されず、成形品は、例えば、ラゲージトリム、ドアトリム等であってもよい。
【００３２】
また、前記の実施例では、加熱手段３としてヒータブロックを採用しているが、これに限定されず、熱風を採用することもできる。更に、前記の実施例では、加熱手段３は複数の部位に分割されているが、これに限定されず、分割されていない一体物であってもよい。同様に、支持部材４、規制部材７、曲支板１１についても複数に分割した態様に限定されるものではなく、一体物であってもよい。また、前記の実施例では、支持部材４は支持機能を有するのみで加熱機能は有していないが、これに限定されず、支持機能とともに加熱機能を併せて有する態様であってもよい。この場合、ワーク２の両面から加熱することができるため、処理の迅速化を図ることができる。
【００３３】
更に、前記の実施例では、支持部材４と、第１ブロック５と、第２ブロック６と、を一体の部材としたが、これに限定されず、それぞれ別個の部材であってもよい。また、第２ブロック６及び規制部材７は互いに着脱可能としているが、これに限定されず、別個の部材であってもよい。更に、前記の実施例では、規制部材７の断面形状が略台形であるが、これに限定されず、断面形状が長方形、正方形等の他の形状の規制部材７であってもよい。
【００３４】
また、ワーク２の折り曲げ部位を予め押し潰して薄肉化しておいてもよい。この場合、押し潰されることによって他の部位より高密度になるため熱伝熱性が高くなり、より加熱され易くなる。これにより、この折り曲げ部位のみを局所的に効率よく加熱することができるようになり、生産コストを抑えることができる。しかも、折り曲げ部位が他の部位より早く軟化するため、その部位のみを容易に折り曲げることができるようになり加工精度を向上させることもできる。
【００３５】
更に、ワーク２の端部２ａの加熱手段３側の面に加熱手段３を押し当てる目印となる凹み線を形成するようにしてもよい。この場合、凹み線を目印として加熱手段３を押し当てることにより、加熱手段３をより正確に所定位置に押し当てることができるようになる。しかも、折り曲げる際には凹み線が他の部位より曲がり易いため、端部２ａの折り曲げ加工の精度を向上させることができる。
【００３６】
また、前記の実施例では、図１に記載の成形体の製造装置１を用いて、加熱手段３を２２０℃に設定して成形体を製造した。一方、図３に記載の成形体の製造装置を用いて、熱風１０４の温度を５５０℃に設定して成形体を製造した（比較例）。そして、実施例と比較例について、加熱に必要な電力量を測定したところ、実施例では１０ｋＷｈであり、比較例では６０ｋＷｈであった。このように、実施例の成形体の製造では、比較例の成形体の製造に比べて、加熱に要する電力量を８３％低減させることができ、省エネルギー化されることが確認された。
【産業上の利用可能性】
【００３７】
本発明は、シート材の端部を折り曲げる製造方法及び製造装置として広範な用途において適用することができ、特に、自動車等の車両用のパネル等の内装材の端部を折り曲げる製造方法及び製造装置として有用である。
【図面の簡単な説明】
【００３８】
【図１】本実施例に係る成形体の製造装置による製造手順を示す概略図であり、（Ａ）は初期状態、（Ｂ）は加熱手段が下降した状態、（Ｃ）は加熱手段がワークを加圧加熱している状態、（Ｄ）は加熱手段が後退した状態、（Ｅ）は加熱手段が上昇した状態、（Ｆ）は曲支板がワークに当接した状態、（Ｇ）は支持部材が上昇した状態、（Ｈ）は第１ブロックがワークの端部を略垂直に折り曲げた状態、（Ｉ）は曲支板が後退した状態、（Ｊ）は第２ブロックがワークの端部を約１８０度に折り返した状態、である。
【図２】成形体の製造装置の平面図である。
【図３】従来の成形体の製造装置の概略図であり、（Ａ）は熱風により加熱している状態、（Ｂ）は加工ブロックによりワークを略垂直に折り曲げた状態、（Ｃ）は加工ブロックによりワークを約１８０度に折り返した状態である。
【符号の説明】
【００３９】
１；製造装置、２；ワーク、２ａ；端部、３；加熱手段、４；支持部材、５；第１ブロック、６；第２ブロック、７；規制部材、１１；曲支板。
【図１】
2010052400.tif 000003
【図２】
2010052400.tif 000004
【図３】
2010052400.tif 000005